(57)【要約】【課題】  所望のデジタル画像の選択並びに選択したデジタル画像を記録装置にて記録（印刷）する際の操作性をより向上させつつ、例えば撮影時の失敗に気付かぬまま記録（印刷）をしてしまう等の無駄な記録（印刷）をしてしまう虞を低減させる。【解決手段】  記録制御部１００は、不揮発性メモリカードに格納されているデジタル画像ファイルをデジタル画像の撮影年月日でグループ化して日付選択画面に一覧表示する。各年月日グループ３９ｂは、縮小画像３９ｄが付加されて一覧表示され、チェックボックス３９ｃで任意の年月日グループ３９ｂの指定／指定解除できる。写真選択画面においては、日付選択画面にてユーザが指定した年月日グループ３９ｂ内の全デジタル画像ファイルのデジタル画像３９ｅを１画像ずつ液晶表示部３９１に全画面表示させて順次閲覧しながらユーザが所望のデジタル画像ファイルを指定することができる。【選択図】  図２
2006218845.tif 000002
【特許請求の範囲】
【請求項１】
ユーザの操作を入力する操作部と、
ユーザに対して情報をグラフィカル表示する表示部と、
前記操作部から入力されるユーザの操作に応じた前記表示部の表示制御及び記憶媒体に格納されているデジタル画像ファイルに基づくプリントを実行する記録制御部と、を備えたＧＵＩ機能を有するデジタル画像プリント制御装置であって、
前記記録制御部は、前記記憶媒体に格納されているデジタル画像ファイルを所定条件でグループ化した複数のグループについて、ユーザが任意に一以上のグループを選択可能に一覧表示するグループ選択画面と、
該グループ選択画面においてユーザが選択したグループ内のデジタル画像を一ずつ略全画面表示で順次閲覧しながらユーザが所望のデジタル画像ファイルを選択してプリント枚数を指定可能なファイル選択画面とが、前記操作部の操作で前記表示部に選択的に表示可能な構成を有し、
前記操作部でプリント実行操作が行われた時点で、前記ファイル選択画面においてユーザが指定したプリントを実行する、ことを特徴としたデジタル画像プリント制御装置。
【請求項２】
請求項１において、前記記録制御部は、前記ファイル選択画面が前記表示部に表示されている状態で、前記操作部にてプリント実行操作が行われた場合には、前記ファイル選択画面でユーザが指定したプリントを実行し、
前記グループ選択画面が前記表示部に表示されている状態で、前記操作部にて記録実行操作が行われた場合には、デジタル画像ファイルに基づく被記録材への記録制御を前記グループ選択画面でユーザが指定したグループ内の全デジタル画像ファイルについて一枚ずつまたは複数の同じ枚数ずつプリントを実行し、ユーザがいずれのグループも指定していなければ、その時点でカーソル選択されているグループの全デジタル画像ファイルについて一枚ずつまたは複数の同じ枚数ずつプリントを実行する、ことを特徴としたデジタル画像プリント制御装置。
【請求項３】
請求項１において、前記グループ選択画面は、グループ名に該グループ内のデジタル画像ファイルのいずれかの縮小画像が付加されて全グループ名が一覧表示される、ことを特徴としたデジタル画像プリント制御装置。
【請求項４】
請求項１において、前記グループ選択画面は、グループ名に該グループ内のデジタル画像ファイルの最新撮影日時のデジタル画像ファイルの縮小画像が付加されて全グループ名が一覧表示される、ことを特徴としたデジタル画像プリント制御装置。
【請求項５】
請求項１において、前記グループ選択画面は、グループ名に該グループ内のデジタル画像ファイルの数が付加されて全グループ名が一覧表示される、ことを特徴としたデジタル画像プリント制御装置。
【請求項６】
請求項１において、前記ファイル選択画面は、閲覧しているデジタル画像ファイルのデジタル画像とともに、当該デジタル画像ファイルの属するグループ名が表示される、ことを特徴としたデジタル画像プリント制御装置。
【請求項７】
請求項１において、前記ファイル選択画面は、閲覧しているデジタル画像ファイルのデジタル画像とともに所定の記録実行条件設定が表示される、ことを特徴としたデジタル画像プリント制御装置。
【請求項８】
請求項１において、前記記録制御部は、前記記憶媒体に記録実行済みのデジタル画像ファイルがある場合には、グループ選択画面においてはグループごとに、ファイル選択画面においてはデジタル画像ファイルごとに、記録実行済みである旨を表示する、ことを特徴としたデジタル画像プリント制御装置。
【請求項９】
請求項１において、前記記録制御部は、前記記憶媒体に格納されているデジタル画像ファイルを撮影年月日でグループ化する、ことを特徴としたデジタル画像プリント制御装置。
【請求項１０】
請求項１に記載のデジタル画像プリント制御装置を備えたプリンタ。
【発明の詳細な説明】
【技術分野】
【０００１】
本発明は、ユーザの操作を入力する操作部と、ユーザに対して情報をグラフィカル表示する表示部とを備えたＧＵＩ機能を有するデジタル画像プリント制御装置、該デジタル画像記録プリント装置を備えたプリンタに関する。
【背景技術】
【０００２】
ＤＳＣ（デジタル・スチル・カメラ）等のデジタル画像処理装置をインクジェットプリンタ等の記録装置に直接接続して、ＤＳＣから送信されるデジタル画像ファイルに基づいて被記録材（記録紙）への記録（プリント）を実行したり、記録装置のメモリカードスロットからメモリカード内のデジタル画像ファイルを直接読み込んで被記録材への記録を実行したりする、いわゆるダイレクトプリント技術が公知である。パーソナルコンピュータ等の情報処理装置を介することなくデジタル写真のプリントが手軽に実行できるという利便性があり、このダイレクトプリント技術に対応するインクジェットプリンタやＤＳＣ等の電子機器が広く普及しつつある。
【０００３】
ＤＳＣ等のデジタル画像処理装置を記録装置に接続してデジタル画像の記録を実行する際には、デジタル画像処理装置の操作部を操作して、デジタル画像処理装置の表示部に表示されるサムネール画像等の簡易画像の一覧を閲覧し（例えば、特許文献１を参照）、その中から所望の画像を選択指定して記録実行操作を行うようになっているのが一般的である。また、記録装置単体でメモリカードスロットに挿入したメモリカード内のデジタル画像ファイルを直接読み込んでデジタル画像の記録を実行する際には、記録装置の操作部を操作して、記録装置の表示部に表示されるサムネール画像の一覧（インデックス画像）を閲覧し、その中から所望の画像を選択指定して記録実行操作を行うことになる（例えば、特許文献２を参照）。
【０００４】
【特許文献１】特開２００４−２５５７４０号公報
【特許文献２】特開２００２−１５４２４３号公報
【発明の開示】
【発明が解決しようとする課題】
【０００５】
しかしながら、サムネール画像等の簡易画像は、実際のデジタル画像（本画像）よりもサイズが大幅に小さく解像度もかなり低いのが通常である。そのため、例えば、実際のデジタル画像（本画像）のフォーカスが甘かったり、手ぶれ等で輪郭がぼやけてしまったりしていても、サムネール画像を見て判別することは困難な場合が多い。つまり、実際のデジタル画像の画質レベルは、実際に印刷してみなければ分からなかった。それによって、ユーザは、印刷をした後に印刷結果を見て初めて撮影時の失敗（フォーカスが甘かったり、手ぶれ等で輪郭がぼやけていたり等）に気が付くこととなり、結果的に無駄な印刷をすることになってしまう虞があった。
【０００６】
本発明は、このような状況に鑑み成されたものであり、その課題は、所望のデジタル画像の選択並びに選択したデジタル画像を記録装置にて記録（印刷）する際の操作性をより向上させつつ、例えば撮影時の失敗に気付かぬまま記録（印刷）をしてしまう等の無駄な記録（印刷）をしてしまう虞を低減させることにある。
【課題を解決するための手段】
【０００７】
上記課題を達成するため、本発明の第１の態様は、ユーザの操作を入力する操作部と、ユーザに対して情報をグラフィカル表示する表示部と、前記操作部から入力されるユーザの操作に応じた前記表示部の表示制御及び記憶媒体に格納されているデジタル画像ファイルに基づくプリントを実行する記録制御部と、を備えたＧＵＩ機能を有するデジタル画像プリント制御装置であって、前記記録制御部は、前記記憶媒体に格納されているデジタル画像ファイルを所定条件でグループ化した複数のグループについて、ユーザが任意に一以上のグループを選択可能に一覧表示するグループ選択画面と、該グループ選択画面においてユーザが選択したグループ内のデジタル画像を一ずつ略全画面表示で順次閲覧しながらユーザが所望のデジタル画像ファイルを選択してプリント枚数を指定可能なファイル選択画面とが、前記操作部の操作で前記表示部に選択的に表示可能な構成を有し、前記操作部でプリント実行操作が行われた時点で、前記ファイル選択画面においてユーザが指定したプリントを実行する、ことを特徴としたデジタル画像プリント制御装置である。
【０００８】
不揮発性メモリカード等の記憶媒体に格納されている多数のデジタル画像ファイルの中から被記録材へ記録するデジタル画像ファイルをユーザが選択する際には、まず、記憶媒体内のデジタル画像ファイルが所定条件でグループ化されることで、複数のグループに大まかに分類されて表示部に一覧表示される（グループ選択画面）。ユーザは、グループ選択画面において、グループ化の所定条件等から所望のデジタル画像ファイルがあると想定されるいくつかのグループを選択して指定し、表示部にファイル選択画面を表示させる操作を行う。それによって、多数のデジタル画像ファイルをグループ単位で取捨選択して絞り込んでいくことができる。
【０００９】
また、ファイル選択画面においては、グループ選択画面においてユーザが取捨選択して指定したグループ内のデジタル画像ファイルのデジタル画像（本画像）を一ずつ略全画面表示で順次閲覧することができる。すなわち、ユーザがグループ単位で絞り込んでデジタル画像ファイルのデジタル画像（本画像）を略全画面表示で順次閲覧しながら所望のデジタル画像を探すことができる。デジタル画像ファイルのデジタル画像（本画像）が略全画面表示されているので、所望のデジタル画像ファイルのデジタル画像が表示された時点で、所望のデジタル画像のフォーカスが甘かったり、手ぶれ等で輪郭がぼやけてしまったり等の撮影時の失敗があってもユーザは容易かつ確実にそれを把握できる。そして、それを把握した上でユーザが被記録材への記録を実行するか否かを判断することができる。
【００１０】
このように、多数のデジタル画像ファイルをグループ単位で取捨選択して絞り込んでからデジタル画像ファイルのデジタル画像（本画像）を一ずつ略全画面表示で順次閲覧することができるので、所望のデジタル画像ファイルを容易に探し出すことができるようになり、所望のデジタル画像の選択操作性を向上させることができるという作用効果が得られる。
【００１１】
また、所望のデジタル画像のフォーカスが甘かったり、手ぶれ等で輪郭がぼやけてしまったり等の撮影時の失敗があってもユーザは容易かつ確実にそれを把握して被記録材への記録を実行するか否かを判断することができるので、撮影時の失敗に気付かぬまま記録をしてしまう等の無駄な記録をしてしまう虞を低減させることができるという作用効果が得られる。
【００１２】
本発明の第２の態様は、前述した第１の態様において、前記記録制御部は、前記ファイル選択画面が前記表示部に表示されている状態で、前記操作部にてプリント実行操作が行われた場合には、前記ファイル選択画面でユーザが指定したプリントを実行し、前記グループ選択画面が前記表示部に表示されている状態で、前記操作部にて記録実行操作が行われた場合には、デジタル画像ファイルに基づく被記録材への記録制御を前記グループ選択画面でユーザが指定したグループ内の全デジタル画像ファイルについて一枚ずつまたは複数の同じ枚数ずつプリントを実行し、ユーザがいずれのグループも指定していなければ、その時点でカーソル選択されているグループの全デジタル画像ファイルについて一枚ずつまたは複数の同じ枚数ずつプリントを実行する、ことを特徴としたデジタル画像プリント制御装置である。
【００１３】
このように、ファイル選択画面が表示されている状態で記録実行操作を行うと、ファイル選択画面で指定されているデジタル画像のデジタル画像ファイルに基づいて被記録材への記録が実行される。それによって、ユーザは、所望のデジタル画像をファイル選択画面にて指定することで所望のデジタル画像の被記録材への記録を実行することができる。
【００１４】
一方、グループ選択画面が表示されている状態で記録実行操作を行うと、指定されているグループの全てのデジタル画像ファイルに基づいて被記録材への記録が実行される。それによって、ユーザは、所望のグループを指定して記録実行操作をすれば、グループ単位で所望のデジタル画像の被記録材への記録を実行することができる。このとき、複数のグループを指定すれば、複数のグループの全デジタル画像について１回の記録実行操作でまとめて記録を実行することができる。
【００１５】
また、グループ選択画面が表示されている状態で記録実行操作を行うと、記録実行操作時にいずれのグループも指定されていなければ、その時点でカーソル選択されているグループ内の全デジタル画像ファイルに基づいて被記録材への記録が実行される。それによって、ユーザは、所望のグループをカーソル選択した時点でグループを指定する操作手順を経ずにダイレクトに記録実行操作を行うといった直感的な操作を繰り返しながら個々のグループごとに記録を実行することもできる。
【００１６】
本発明の第３の態様は、前述した第１の態様において、前記グループ選択画面は、グループ名に該グループ内のデジタル画像ファイルのいずれかの縮小画像が付加されて全グループ名が一覧表示される、ことを特徴としたデジタル画像プリント制御装置である。
【００１７】
ユーザは、グループ内にどのようなデジタル画像ファイルが含まれているかは、撮影日時等のグループ名からは特定できなくてもグループ内のいずれか１つのデジタル画像を見れば容易に特定できる場合も多い。そこで、グループ選択画面には、グループ内のいずれかのデジタル画像ファイルの縮小画像を各グループに付加してグループ一覧表示する。ユーザは、グループ内のデジタル画像ファイルの内容を、撮影日時等のグループ名からは特定できなくても各グループに付された縮小画像を見て容易に特定することができる。
【００１８】
本発明の第４の態様は、前述した第１の態様において、前記グループ選択画面は、グループ名に該グループ内のデジタル画像ファイルの最新撮影日時のデジタル画像ファイルの縮小画像が付加されて全グループ名が一覧表示される、ことを特徴としたデジタル画像プリント制御装置である。
【００１９】
ユーザは、ユーザ自身がデジタルカメラ等で撮影したデジタル画像ファイルについては、最新撮影日時のデジタル画像が最も記憶に残っている場合が多いと考えられる。そこで、グループ選択画面のグループ一覧表示において各グループに付加される縮小画像を、グループ内における最新撮影日時のデジタル画像ファイルの縮小画像とする。それによって、ユーザは、グループ内のデジタル画像ファイルの内容を、最新撮影日時のデジタル画像ファイルの縮小画像から容易に特定することができる。
【００２０】
本発明の第５の態様は、前述した第１の態様において、前記グループ選択画面は、グループ名に該グループ内のデジタル画像ファイルの数が付加されて全グループ名が一覧表示される、ことを特徴としたデジタル画像プリント制御装置である。
【００２１】
このように、グループ選択画面のグループ一覧表示において、グループごとにグループ内のデジタル画像ファイルの数が表示されるので、グループ内のデジタル画像ファイルの数に応じて適切な操作を行うことができる。
【００２２】
例えば、グループ内のデジタル画像ファイルの数が少なくファイル選択画面でグループ内のデジタル画像ファイルのデジタル画像を閲覧するまでもなく内容を把握できる場合には、そのままグループ選択画面から記録実行操作を行うことができる。一方、グループ内のデジタル画像ファイルの数が非常に多い場合には、グループ単位で記録を実行すると、不要なデジタル画像ファイルの記録が大量に実行されてしまう虞があるので、ファイル選択画面でグループ内のデジタル画像ファイルのデジタル画像（本画像）を閲覧しながら必要なデジタル画像のみを指定して記録を実行するのが好ましい。すなわち、ユーザは、グループ内のデジタル画像ファイルの数に応じて、無駄な操作及び無駄な記録の実行を省略して被記録材へのデジタル画像の記録を効率的に行うことができるようになる。
【００２３】
本発明の第６の態様は、前述した第１の態様において、前記ファイル選択画面は、閲覧しているデジタル画像ファイルのデジタル画像とともに、当該デジタル画像ファイルの属するグループ名が表示される、ことを特徴としたデジタル画像プリント制御装置である。
【００２４】
このように、ファイル選択画面に閲覧中のグループ名が表示されるので、常に表示されているデジタル画像が属するグループを把握しながらデジタル画像の閲覧、選択及び指定操作をすることができる。それによって、例えば、デジタル画像の内容からだけでは撮影時の状況等が判断できないような場合でも、そのデジタル画像の属するグループとの関連から判断するといったことも可能になる。
【００２５】
本発明の第７の態様は、前述した第１の態様において、前記ファイル選択画面は、閲覧しているデジタル画像ファイルのデジタル画像とともに所定の記録実行条件設定が表示される、ことを特徴としたデジタル画像プリント制御装置である。
【００２６】
ユーザは、表示部の表示画面を記録実行条件の設定画面等に切り替えることなく、ファイル選択画面上で記録実行条件設定（被記録材の種別やサイズの設定、縁なし記録設定の有無等）を確認することができるとともに、デジタル画像を見ながら記録実行条件設定から記録実行結果をイメージすることができるので、それによって、さらに操作性が向上するという作用効果が得られる。
【００２７】
本発明の第８の態様は、前述した第１の態様において、前記記録制御部は、前記記憶媒体に記録実行済みのデジタル画像ファイルがある場合には、グループ選択画面においてはグループごとに、ファイル選択画面においてはデジタル画像ファイルごとに、記録実行済みである旨を表示する、ことを特徴としたデジタル画像プリント制御装置である。
【００２８】
このように、記録実行済みのデジタル画像ファイルをユーザが容易に把握できるようにすることによって、すでに被記録材へ記録実行済みのデジタル画像ファイルを誤って再度被記録材へ記録してしまうことによる無駄な記録を防止することができる。また、記録実行済みのデジタル画像ファイルも再度記録することができるようにしておけば、焼き増しプリント等のニーズにも対応することができる。尚、記録実行済みか否かは、記録履歴情報等を記憶媒体に書き込んでおいて、グループ選択画面又はファイル選択画面の表示の際に、その履歴情報を参照して記録実行済みの表示をするようにすれば良い。
【００２９】
本発明の第９の態様は、前述した第１の態様において、前記記録制御部は、前記記憶媒体に格納されているデジタル画像ファイルを撮影年月日でグループ化する、ことを特徴としたデジタル画像プリント制御装置である。
【００３０】
ユーザは、ユーザ自身がデジタルカメラ等で撮影したデジタル画像ファイルについては、撮影年月日からグループ内にどのようなデジタル画像ファイルが含まれているかを容易に判断できる場合が多い。したがって、記憶媒体に格納されているデジタル画像ファイルを撮影年月日でグループ化することによって、ユーザが所望のデジタル画像を特定しやすくなる。
【００３１】
本発明の第１０の態様は、前述した第１の態様に記載のデジタル画像記録制御装置を備えたプリンタである。  
本発明の第１０の態様に記載のプリンタによれば、プリンタにおいて、前述した第１の態様に記載の発明による作用効果を得ることができる。
【発明を実施するための最良の形態】
【００３２】
以下、本発明の実施の形態を図面に基づいて説明する。  
本発明に係る「表示部」としての液晶表示部３９１及び「操作部」としての記録操作部３９２並びに記録制御部１００で構成される本発明に係るデジタル画像記録制御装置４０について説明する。
【００３３】
図１は、本発明に係る「プリンタ」としてのインクジェットプリンタ５０の外観の斜視図である。図２は、デジタル画像記録制御装置４０の概略平面図であり、液晶表示部３９１に「グループ選択画面」としての日付選択画面が表示されている状態を示したものである。  
操作パネル３９は、インクジェットプリンタ５０の電源スイッチ３５の他、ユーザの操作を入力する「操作部」としての記録操作部３９２と、ユーザに対して情報をグラフィカル表示する「表示部」としての液晶表示部３９１とを有している。記録制御部１００は、記録操作部３９２から入力されるユーザの操作に応じて、液晶表示部３９１の表示制御及びカードスロット２００（図１）に挿入された不揮発性メモリカード（記憶媒体）に格納されているデジタル画像ファイルに基づく記録紙（被記録材）への記録制御を実行する。ＧＵＩ（グラフィカル・ユーザ・インタフェース）機能を有するデジタル画像記録制御装置４０は、上記の液晶表示部３９１及び記録操作部３９２並びに記録制御部１００で構成されている。ＧＵＩとは、ユーザに対する情報の表示にグラフィックを多用し、カーソルを移動させて表示画面上の絵記号や図形等を指示することによって大半の基礎的な操作を行うことができるユーザインタフェースのことである。
【００３４】
記録制御部１００は、カードスロット２００（図１）に挿入された不揮発性メモリカードに格納されているデジタル画像ファイルを所定条件、当該実施例においてはデジタル画像ファイルのファイルヘッダに記述されているデジタル画像の撮影年月日ごとにグループ化する。尚、ファイルヘッダに撮影年月日の記述がないデジタル画像ファイルについては、ファイル登録日でグループ分けする。そして、ユーザが任意に一以上のグループを選択して指定可能に全グループを一覧表示する「グループ選択画面」としての日付選択画面を液晶表示部３９１に表示する（図２）。日付選択画面には、図示の如く年月日（デジタル画像の撮影年月日）グループ３９ｂの一覧が表示され、記録操作部３９２に配設されているカーソル操作ボタン３９３の上ボタンＵと下ボタンＤとを操作してカーソルを上下に移動させて任意の年月日グループ３９ｂを指定（選択）することができる。
【００３５】
カーソルが位置している（カーソル選択している）年月日グループ３９ｂ（２００３年１２月３１日）は、表示色が変わるとともに年月日の文字が白黒反転した状態で表示される。年月日グループ３９ｂの数が画面に表示可能な数（当該実施例では５グループ）を超えた場合には、カーソル操作ボタン３９３の上ボタンＵと下ボタンＤとを操作してカーソルを上下に移動させることでスクロールさせることができ、スクロールバー３９ａには、スクロール幅やスクロール位置等が表示される。ユーザは、ユーザ自身がデジタルカメラ等で撮影したデジタル画像ファイルについては、撮影年月日からグループ内にどのようなデジタル画像ファイルが含まれているかを容易に判断できる場合が多い。したがって、不揮発性メモリカード等に格納されているデジタル画像ファイルを撮影年月日でグループ化することによって、ユーザが所望のデジタル画像を特定しやすくなる。
【００３６】
各年月日グループ３９ｂの表示には、それぞれチェックボックス３９ｃが設けられており、任意の年月日グループ３９ｂにカーソルを移動させた状態でカーソル操作ボタン３９３の右ボタンＲと左ボタンＬを操作することで、任意の年月日グループ３９ｂの指定／指定解除（選択／選択解除）をオルタネイト動作させることができる。画面左下には、その旨をユーザに案内する表示がされている（右ボタンＲと左ボタンＬの絵表示と「選択／選択解除」の文字）。指定（選択）された状態の年月日グループ３９ｂは、チェックボックス３９ｃに図示の如くチェックマークが表示される（２００４年４月１０日及び２００３年１２月３１日）。
【００３７】
また、各年月日グループ３９ｂは、縮小画像３９ｄが付加されて一覧表示されている。縮小画像３９ｄは、各年月日グループ３９ｂに属するデジタル画像ファイルのいずれかのサムネール画像が年月日グループ３９ｂごとに表示される。ユーザは、各年月日グループ３９ｂ内のデジタル画像ファイルの内容を、グループ名（デジタル画像の撮影年月日）からは特定できなくても各年月日グループ３９ｂに付された縮小画像３９ｄを見て容易に特定することができる。  
尚、縮小画像３９ｄは、各年月日グループ３９ｂ内における最新撮影日時のデジタル画像ファイルのサムネール画像を利用しても良い。ユーザは、ユーザ自身がデジタルカメラ等で撮影したデジタル画像ファイルについては、最新撮影日時のデジタル画像が最も記憶に残っている場合が多いと考えられるので、縮小画像３９ｄから年月日グループ３９ｂ内のデジタル画像ファイルの内容を容易に特定することができる。
【００３８】
さらに、日付選択画面は、各年月日グループ３９ｂに属するデジタル画像ファイルの数が図示の如く年月日グループ３９ｂごとに付加されて表示される（例えば、２００４年４月１０日は２枚、２００３年１２月３１日は１２枚）。それによって、ユーザは、各年月日グループ３９ｂ内のデジタル画像ファイルの数に応じて、無駄な操作及び無駄な記録の実行を省略して記録紙へのデジタル画像の記録を効率的に行うことができるようになる。そして、各年月日グループ３９ｂの表示領域の下側には、指定（選択）されている年月日グループ３９ｂのデジタル画像ファイルの合計枚数が表示される（合計１４枚）。
【００３９】
液晶表示部３９１に日付選択画面が表示されている状態では、カーソル操作ボタン３９３の中央に配設されているＯＫボタンを押下すると、次の画面（写真選択画面）へ液晶表示部３９１の画面表示が選択的に切り替わり（写真選択画面へ進む）、記録操作部３９２の戻るボタンを押下すると、日付選択画面へ液晶表示部３９１の画面表示が選択的に切り替わる（日付選択画面へ戻る）。ユーザは、日付選択画面において、年月日グループ３９ｂの撮影年月日から所望のデジタル画像ファイルがあると想定されるいくつかの年月日グループ３９ｂを選択して指定（チェックボックス３９ｃにチェックマークを表示）し、ＯＫボタンを押下して液晶表示部３９１に写真選択画面を表示させる操作を行う。それによって、多数のデジタル画像ファイルを撮影年月日単位で取捨選択して所望のデジタル画像ファイルを絞り込んでいくことができる。
【００４０】
図３は、デジタル画像記録制御装置４０の概略平面図であり、液晶表示部３９１に「ファイル選択画面」としての写真選択画面が表示されている状態を示したものである。  
写真選択画面においては、日付選択画面（図２）にてユーザが指定した（チェックボックス３９ｃにチェックマークを表示させた）年月日グループ３９ｂ内の全デジタル画像ファイルのデジタル画像３９ｅを１画像ずつ液晶表示部３９１に全画面表示させて順次閲覧しながらユーザが所望のデジタル画像ファイルを選択して指定することができる。カーソル操作ボタン３９３の右ボタンＲと左ボタンＬとを操作することで、液晶表示部３９１に全画面表示されるデジタル画像３９ｅを１画像ずつ順送り（右ボタンＲ押下）したり、逆送り（左ボタンＬ押下）したりすることができる。
【００４１】
デジタル画像ファイルのデジタル画像（本画像）が略全画面表示されているので、所望のデジタル画像のフォーカスが甘かったり、手ぶれ等で輪郭がぼやけてしまったり等の撮影時の失敗があってもユーザは容易かつ確実にそれを把握できる。そして、それを把握した上でユーザが被記録材への記録を実行するか否かを判断することができる。尚、日付選択画面（図２）にてユーザが指定した年月日グループ３９ｂが１つもない場合には、記録操作部３９２のＯＫボタンが押下された時点でカーソルが位置している年月日グループ３９ｂ内の全デジタル画像ファイルが写真選択画面におけるデジタル画像表示の対象となる。
【００４２】
また、写真選択画面の画面中央下側には、液晶表示部３９１に表示されているデジタル画像３９ｅの記録実行枚数表示３９ｆが表示される。記録実行枚数表示３９ｆに表示される記録（印刷）実行枚数は、カーソル操作ボタン３９３の上ボタンＵと下ボタンＤとを操作することで、デジタル画像３９ｅごとに増やしたり（上ボタンＵ押下）、減らしたり（下ボタンＤ押下）することができる。記録実行枚数を「０枚」に設定すれば、そのデジタル画像３９ｅの記録（印刷）は実行されない。
【００４３】
写真選択画面には、全画面表示されているデジタル画像のデジタル画像ファイルが属する年月日グループ３９ｂのグループ名（撮影年月日）が画面右下に表示される。例えば、撮影日２００３年１２月３１日のグループ３９ｂに属するデジタル画像ファイルのデジタル画像が表示されている場合には、画面右下には、「２００３．１２．３１」と表示される（図３）。また、画面左下には、日付選択画面で指定した年月日グループ３９ｂに属するデジタル画像ファイルのトータル数と、何番目のデジタル画像ファイルのデジタル画像を表示しているのかが表示される。例えば、トータル数が１４枚で、５番目のデジタル画像が全画面表示されている場合には、画面左下には、「５／１４」と表示される（図３）。
【００４４】
さらに、画面左上には、現在の記録実行条件設定等（写真用紙／Ｌ判、１面縁なし、記録実行枚数の合計）が表示される。ユーザは、デジタル画像を見ながら記録実行条件設定から記録実行結果をイメージすることができる。画面下側には、記録操作部３９２の設定ボタンを押下することで、記録条件設定（印刷設定）を行うための印刷設定画面へ表示が切り替わる旨をユーザに案内する表示がされている（設定ボタンの絵表示と「印刷設定」の文字）。印刷設定画面（図示せず）では、記録条件設定（印刷設定）の設定変更を行うことができる。尚、記録操作部３９２の設定ボタンを押下すれば、表示画面の種類に関わらず、いつでも印刷設定画面を表示させることができる。
【００４５】
液晶表示部３９１に写真選択画面が表示されている状態では、記録操作部３９２のＯＫボタンを押下すると、次の画面（印刷確認画面）へ液晶表示部３９１の画面表示が選択的に切り替わり（印刷確認画面へ進む）、記録操作部３９２の戻るボタンを押下すると、写真選択画面へ液晶表示部３９１の画面表示が選択的に切り替わる（写真選択画面へ戻る）。
【００４６】
図４は、デジタル画像記録制御装置４０の概略平面図であり、液晶表示部３９１に印刷確認画面が表示されている状態を示したものである。  
印刷確認画面においては、画面右側の表示領域３９ｇに記録紙の種類及びサイズ（写真用紙Ｌ判）のほか、日付印刷のＯＮ／ＯＦＦ状態、時刻印刷のＯＮ／ＯＦＦ状態、自動補正のＯＮ／ＯＦＦ状態、画質調整のＯＮ／ＯＦＦ状態等が表示される。また、画面右側の表示領域３９ｈには、写真選択画面にて記録実行枚数を１枚以上に指定されたデジタル画像が表示され、記録（印刷）を実行するデジタル画像ファイルのデジタル画像を順次閲覧しながら確認することができる。そして、画面左下には、表示されているデジタル画像の記録実行枚数（１枚）とトータルの記録実行枚数（１０枚）が表示されるので、ユーザは、何枚の記録紙に記録（印刷）が実行されるかを容易に把握することができる。印刷確認画面が表示されている状態では、記録操作部３９２の戻るボタンを押下すると写真選択画面に戻り、デジタル画像の再指定や記録実行枚数の変更等を行うことができる。画面下側には、その旨をユーザに案内する表示がされている（戻るボタンの絵表示と「写真選択（写真選択画面）」の文字）。
【００４７】
印刷確認画面が表示されている状態で記録操作部３９２の記録操作スイッチ３６（「印刷」の文字が付されている印刷ボタン）を押下すると、写真選択画面にて指定されたデジタル画像のデジタル画像ファイルに基づく記録紙への記録が指定したデジタル画像ごとに設定した記録実行枚数だけ実行される。すなわち、ユーザは、所望のデジタル画像を写真選択画面（図３）にて記録実行枚数を指定することで所望のデジタル画像の記録紙への記録（印刷）を実行することができる。画面下側には、記録操作スイッチ３６（印刷ボタン）を押下により記録（印刷）が実行される旨をユーザに案内する表示がされている（印刷ボタンの絵表示と「印刷（記録）開始」の文字）。
【００４８】
尚、上記記録実行操作は、写真選択画面（図３）が表示されている状態でも行うことができるようになっており、写真選択画面（図３）の下側にも、その旨をユーザに案内する表示がされている（印刷ボタンの絵表示と「印刷（記録）開始」の文字）。
【００４９】
図５は、デジタル画像記録制御装置４０の概略平面図であり、液晶表示部３９１に案内画面が表示されている状態を示したものである。  
記録操作部３９２の記録操作スイッチ３６（印刷ボタン）を押下すると、液晶表示部３９１の表示が自動的に案内画面（図５）へ切り替わる。記録実行枚数の合計枚数と残りの記録実行枚数とが表示され、ユーザは、記録（印刷）の進行状況を容易に知ることができる。また、記録（印刷）実行中に記録操作部３９２の中止ボタンを押下すれば、その時点で記録（印刷）が中断され、記録操作スイッチ３６（印刷ボタン）を押下したときの画面表示に戻る。案内画面の画面下側には、その旨をユーザに案内する表示がされている（中止ボタンの絵表示と「印刷（記録）中止」の文字）。
【００５０】
さらに、本発明に係るデジタル画像記録制御装置４０は、日付選択画面（図２）が液晶表示部３９１に表示されている状態で記録操作スイッチ３６（印刷ボタン）を押下された場合には、日付選択画面（図２）でユーザが指定した年月日グループ３９ｂ内の全てのデジタル画像ファイルが指定されて記録紙への記録（印刷）が実行される。すなわち、ユーザは、所望の年月日グループ３９ｂを指定して記録操作スイッチ３６（印刷ボタン）を押下すれば、年月日グループ３９ｂ単位で所望のデジタル画像の記録紙への記録を実行することができる。このとき、複数の年月日グループ３９ｂを指定すれば、複数の年月日グループ３９ｂの全デジタル画像について１回の記録操作スイッチ３６（印刷ボタン）押下でまとめて記録（印刷）を実行することができる。
【００５１】
また、日付選択画面（図２）が液晶表示部３９１に表示されている状態で、ユーザがいずれの年月日グループ３９ｂも指定（選択）していなければ、記録操作部３９２の記録操作スイッチ３６（印刷ボタン）を押下した時点でカーソルが位置している年月日グループ３９ｂの全てのデジタル画像ファイルが指定されて記録紙への記録（印刷）が実行される。それによって、ユーザは、所望の年月日グループ３９ｂにカーソルを移動させてダイレクトに記録操作スイッチ３６（印刷ボタン）を押下して記録紙への記録（印刷）行うといった直感的な操作を繰り返しながら個々の年月日グループ３９ｂごとに記録（印刷）を実行することもできる。
【００５２】
図６は、デジタル画像記録制御装置４０の概略平面図であり、記録（印刷）実行済みのデジタル画像ファイルがある場合の日付選択画面を示したものである。  
カードスロット２００（図１）に挿入された不揮発性メモリカード内にインクジェットプリンタ５０にて一度でも記録（印刷）したことがあるデジタル画像ファイルが含まれている場合には、そのことがユーザに分かるように、図示の如く年月日グループ３９ｂごとに「印刷済」或いは「一部印刷済」の文字が表示される。年月日グループ３９ｂ内に一度でも記録（印刷）したことがあるデジタル画像ファイルが一部含まれる場合には、「一部印刷済」の文字が表示される（２００４年４月１０日の年月日グループ３９ｂ）。年月日グループ３９ｂ内のデジタル画像ファイルが全て一度でも記録（印刷）したことがあるデジタル画像ファイルである場合には、「印刷済」の文字が表示される（２００３年４月２４日の年月日グループ３９ｂ）。
【００５３】
図７は、デジタル画像記録制御装置４０の概略平面図であり、記録（印刷）実行済みのデジタル画像ファイルのデジタル画像を表示した状態の写真選択画面を示したものである。  
写真選択画面においては、全画面表示されているデジタル画像のデジタル画像ファイルが一度でも記録（印刷）したことがあるデジタル画像ファイルである場合には、画面右上に「前回印刷（記録）済」の文字が表示される。
【００５４】
このように、記録実行済みのデジタル画像ファイルをユーザが容易に把握できるようにすることによって、すでに記録紙へ記録（印刷）済みのデジタル画像ファイルを誤って再度記録紙へ記録（印刷）してしまうことによる無駄な記録（印刷）を防止することができる。また、記録実行済みのデジタル画像ファイルも再度記録（印刷）することができるようにしておけば、焼き増しプリント等のニーズにも対応することができる。尚、記録実行済みか否かは、記録（印刷）履歴情報等を不揮発性メモリカードに書き込んでおいて、日付選択画面又は写真選択画面の表示の際に、その履歴情報を参照して印刷済みの表示をするようにすれば良い。
【００５５】
このようにして、不揮発性メモリカード等の記憶媒体内のデジタル画像ファイルを撮影年月日等の条件でグループ化し、グループ単位で取捨選択して所望のデジタル画像ファイルを絞り込んでいくので、所望のデジタル画像ファイルを容易に探し出すことができるようになり、所望のデジタル画像の選択操作性を向上させることができる。  
また、グループ単位で取捨選択して絞り込んだデジタル画像ファイルを全画面表示で順次閲覧しながら所望のデジタル画像ファイルを選択して指定するので、所望のデジタル画像のフォーカスが甘かったり、手ぶれ等で輪郭がぼやけてしまったり等の撮影時の失敗があってもユーザは容易かつ確実にそれを把握して記録紙への記録を実行するか否かを判断することができる。それによって、撮影時の失敗に気付かぬまま記録（印刷）をしてしまう等の無駄な記録（印刷）をしてしまう虞を低減させることができる。
【００５６】
尚、表示画面に触れることで操作可能なタッチパネルを液晶表示部３９１に採用することも可能である。  
そして、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５７】
【図１】本発明に係るインクジェット式記録装置の外観斜視図。
【図２】デジタル画像記録制御装置の日付選択画面を示したもの。
【図３】デジタル画像記録制御装置の写真選択画面を示したもの。
【図４】デジタル画像記録制御装置の印刷確認画面を示したもの。
【図５】デジタル画像記録制御装置の案内画面を示したもの。
【図６】デジタル画像記録制御装置の日付選択画面を示したもの。
【図７】デジタル画像記録制御装置の写真選択画面を示したもの。
【符号の説明】
【００５８】
３９  操作パネル、４０  デジタル画像記録制御装置、５０  インクジェットプリンタ、１００  記録制御部、２００  カードスロット、３９１  液晶表示部、３９２  記録操作部、３９３  カーソル操作ボタン、Ｕ  上ボタン、Ｄ  下ボタン、Ｌ  左ボタン、Ｒ  右ボタン
【図１】
2006218845.tif 000003
【図２】
2006218845.tif 000004
【図３】
2006218845.tif 000005
【図４】
2006218845.tif 000006
【図５】
2006218845.tif 000007
【図６】
2006218845.tif 000008
【図７】
2006218845.tif 000009